(57)【要約】【解決手段】無線通信用のメディア情報の改良された表示のための方法がここに記載される。メディアサービス及びプログラムパッケージがランク付けされ、ランキング情報がメディア情報とともにモバイル装置へ配信される。このランキング情報は、その後、メディアサービスをランク付け順に並べるためにモバイル装置によって使用される。このランキング情報はまた、モバイル装置が起動された場合、あるいはメディアコンテンツを見ることが選択された場合にはいつでも表示されるデフォルトサービスを割り当てるために使用することができる。このランキング情報はまた、申込目的のために、プログラムパッケージをランク付け順に並べるために使用される。【選択図】      図４
2007536819.tif 000002
【特許請求の範囲】
【請求項１】
無線通信用のメディア情報を提供する方法であって、
メディア情報を受信することと、
前記メディア情報に関連したランキング情報を受信することと、 
前記受信した情報を無線スキームに従って復調することと、
前記メディア情報を前記ランキング情報に従って表示することとを含む方法。
【請求項２】
請求項１に記載の方法において、前記表示することは更に、
前記受信したメディア情報からのメディアサービスを、前記ランキング情報に基づいて、デフォルトサービスとして割り当てることと、
前記デフォルトサービスを表示することとを含む方法。
【請求項３】
請求項１に記載の方法において、前記表示することは更に、
前記受信したメディア情報からのメディアサービスを、前記ランキング情報に基づいて、デフォルトサービスとして割り当てることと、
メディアサービスのリストを、最初にデフォルトサービスをリストして、ランク付け順にしたがって表示することとを含む方法。
【請求項４】
請求項１に記載の方法において、前記表示することは更に、
ランキング情報に従って体系化されるメディアサービスを有する番組案内を表示することを含む方法。
【請求項５】
請求項１に記載の方法において、前記表示することは更に、
前記ランキング情報に従ってランク付けされた順で、前記受信したメディア情報からのメディアサービスを並べることと、
前記ランク付け順に従って前記メディアサービスを表示することとを含む方法。
【請求項６】
請求項１に記載の方法において、前記メディア情報を表示することは、メディアコンテンツを表示する命令を受信することに応じている方法。
【請求項７】
請求項１に記載の方法において、無線スキームに従って復調することは更に、ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームに従って復調することを含む方法。
【請求項８】
請求項１に記載の方法において更に、
申込情報を受信することと、
前記申込情報に関連したランキング情報を受信することと、
前記ランキング情報に従ってランク付けられた順に前記申込情報を表示することとを備えた方法。
【請求項９】
無線通信用の電子機器であって、
メディア情報を受信し、前記メディア情報に関連したランキング情報を受信し、前記受信した情報を無線スキームに従って復調し、前記メディア情報を前記ランキング情報に従って表示するように構成された電子機器。
【請求項１０】
請求項９に記載の電子機器において更に、
前記受信したメディア情報からのメディアサービスを、前記ランキング情報に基づいて、デフォルトサービスとして割り当て、前記デフォルトサービスを表示するように構成された電子機器。
【請求項１１】
請求項９に記載の電子機器において更に、
前記受信したメディア情報からのメディアサービスを、前記ランキング情報に基づいて、デフォルトサービスとして割り当て、メディアサービスのリストを、最初にデフォルトサービスをリストして、ランク付け順にしたがって表示するように構成された電子機器。
【請求項１２】
請求項９に記載の電子機器において更に、
番組案内を表示するように構成され、前記番組案内は、ランキング情報に従って体系化されたメディアサービスを有する電子機器。
【請求項１３】
請求項９に記載の電子機器において更に、
前記受信したメディア情報からのメディアサービスを、前記ランキング情報に従ってランク付けされた順に並べ、前記メディアサービスを、前記ランク付けられた順に従って表示するように構成された電子機器。
【請求項１４】
請求項９に記載の電子機器において更に、
メディアコンテンツを表示する命令を受信することに応じて前記メディア情報を表示するように構成された電子機器。
【請求項１５】
請求項９に記載の電子機器において更に、
ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームに従って復調するように構成された電子機器。
【請求項１６】
請求項９に記載の電子機器において更に、
申込情報を受信し、前記申込情報に関連したランキング情報を受信し、前記ランキング情報に従ってランク付けられた順に前記申込情報を表示するように構成された電子機器。
【請求項１７】
無線通信用のメディア情報を提供する装置であって、
メディア情報を受信する手段と、
前記メディア情報に関連したランキング情報を受信する手段と、
前記受信した情報を無線スキームに従って復調する手段と、
前記メディア情報を前記ランキング情報に従って表示する手段とを備えた装置。
【請求項１８】
請求項１７に記載の装置において、前記表示する手段は更に、
前記受信したメディア情報からのメディアサービスを、前記ランキング情報に基づいて、デフォルトサービスとして割り当てる手段と、
前記デフォルトサービスを表示する手段とを備えた装置。
【請求項１９】
請求項１７に記載の装置において、前記表示する手段は更に、
前記受信したメディア情報からのメディアサービスを、前記ランキング情報に基づいて、デフォルトサービスとして割り当てる手段と、
メディアサービスのリストを、最初にデフォルトサービスをリストして、ランク付け順にしたがって表示する手段とを備えた装置。
【請求項２０】
請求項１７に記載の装置において、前記表示する手段は更に、
ランキング情報に従って体系化されたメディアサービスを有する番組案内を表示する手段を備えた装置。
【請求項２１】
請求項１７に記載の装置において、前記表示する手段は更に、
前記受信したメディア情報からのメディアサービスを、前記ランキング情報に従ってランク付けられた順に並べる手段と、
前記メディアサービスを、前記ランク付けられた順に従って表示する手段と
を備えた装置。
【請求項２２】
請求項１７に記載の装置において、
前記メディア情報を表示する手段は、メディアコンテンツを表示する命令を受信することに応じている装置。
【請求項２３】
請求項１７に記載の装置において、
前記無線スキームに従って復調する手段は更に、ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームに従って復調することを含む装置。
【請求項２４】
請求項１７に記載の装置において更に、
申込情報を受信する手段と、
前記申込情報に関連したランキング情報を受信する手段と、
前記ランキング情報に従ってランク付けられた順に前記申込情報を表示する手段とを備えた装置。
【請求項２５】
無線モバイル装置に対して以下の方法を実行させる手段を組み込んだコンピュータ読取可能媒体であって、前記方法は、
メディア情報を受信することと、
前記メディア情報に関連したランキング情報を受信することと、
前記受信した情報を無線スキームに従って復調することと、
前記受信したメディア情報からのメディアサービスを、前記ランキング情報に従ってランク付けられた順に並べることと、
前記受信したメディア情報からのメディアサービスを、前記ランキング情報に基づいて、デフォルトサービスとして割り当てることと、
前記メディア情報を前記ランキング情報に従って表示することとを含むコンピュータ読取可能媒体。
【請求項２６】
無線通信用のメディアコンテンツを配信する方法であって、
メディアサービスをランク付けることと、
メディアサービスランキングに基づいてランキング情報を生成することと、
無線スキームに従って前記ランキング情報及びメディア情報を変調することと、
前記変調されたメディア情報及びランキング情報をモバイル装置に送信することとを含む方法。
【請求項２７】
請求項２６に記載の方法において更に、
メディアサービスをプログラムパッケージへグループ化することと、
前記プログラムパッケージをランク付けすることと、
プログラムパッケージのランキングを含むランキング情報を生成することとを含む方法。
【請求項２８】
請求項２７に記載の方法において更に、
申込情報と、前記申込情報に関連するランキング情報とを前記モバイル装置に送信することを含む方法。
【請求項２９】
請求項２６に記載の方法において更に、
デフォルトサービスを決定するための命令のセットを前記モバイル装置に送信することを含む方法。
【請求項３０】
請求項２６に記載の方法において、
前記無線スキームに従ってランキング情報及びメディア情報を変調することは更に、ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームに従って変調することを含む方法。
【請求項３１】
無線通信用の電子機器であって、
メディアサービスをランク付けし、メディアサービスランキングに基づいてランキング情報を生成し、無線スキームに従って前記ランキング情報及びメディア情報を変調し、前記変調されたメディア情報及びランキング情報をモバイル装置に送信するように構成された電子機器。
【請求項３２】
請求項３１に記載の電子機器において更に、
メディアサービスをプログラムパッケージへグループ化し、前記プログラムパッケージをランク付けし、プログラムパッケージのランキングを含むランキング情報を生成するように構成された電子機器。
【請求項３３】
請求項３２の記載の電子機器において更に、
申込情報と、前記申込情報に関連するランキング情報とを前記モバイル装置に送信するように構成された電子機器。
【請求項３４】
請求項３１に記載の電子機器において更に、
デフォルトサービスを決定するための命令のセットを前記モバイル装置に送信するように構成された電子機器。
【請求項３５】
請求項３１に記載の電子機器において更に、
ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームに従って変調するように構成された電子機器。
【請求項３６】
無線通信用のメディア情報を配信する装置であって、
メディアサービスをランク付けする手段と、
メディアサービスランキングに基づいてランキング情報を生成する手段と、
無線スキームに従って前記ランキング情報及びメディア情報を変調する手段と、
前記変調された情報をモバイル装置に送信する手段とを備えた装置。
【請求項３７】
請求項３６に記載の装置において更に、
メディアサービスをプログラムパッケージへグループ化する手段と、
前記プログラムパッケージをランク付けする手段と、
プログラムパッケージのランキングを含むランキング情報を生成する手段とを備えた装置。
【請求項３８】
請求項３７に記載の装置において更に、
申込情報と、前記申込情報に関連するランキング情報とを前記モバイル装置に送信する手段を備えた装置。
【請求項３９】
請求項３６に記載の装置において更に、
デフォルトサービスを決定するための命令のセットを前記モバイル装置に送信する手段を備えた装置。
【請求項４０】
請求項３６に記載の装置において、
前記無線スキームに従ってランキング情報及びメディア情報を変調する手段は更に、ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームに従って変調する手段を備えた装置。
【請求項４１】
無線モバイル装置に対して以下の方法を実行させる手段を組み込んだコンピュータ読取可能媒体であって、前記方法は、
メディアサービスをランク付けることと、
メディアサービスランキングに基づいてランキング情報を生成することと、
メディアサービスをプログラムパッケージへグループ化することと、
前記プログラムパッケージをランク付けすることと、
プログラムパッケージのランキングを含むランキング情報を生成することと、
無線スキームに従って前記ランキング情報及びメディア情報を変調することと、
前記変調された情報と、デフォルトサービスを決定するための命令のセットとをモバイル装置に送信することとを含むコンピュータ読取可能媒体。
【発明の詳細な説明】
【技術分野】
【０００１】
本発明は、マルチメディアコンテンツをモバイル装置に配信する方法、装置、及びシステムに関する。
【背景技術】
【０００２】
第２世代（２Ｇ）のネットワークは、符号分割多元接続(ＣＤＭＡ)とグローバルシステムフォーモバイルコミュニケーションの（ＧＳＭ）ネットワークを含み、デジタル音声符号化のために無線接続を提供している。第３世代（Ｇ３）のモバイルネットワークは、有線ブロードバンド接続に近づくセルラーデータレートを提供する。これら３Ｇモバイルネットワークは、世界中に提供されている豊富な種々のサービスに対するロバストな配信メカニズムである。ＣＤＭＡ２０００ベースのネットワークからＷＣＤＭＡ(Wide-band Code-Division Multiple Access)に基づくネットワークまで、セルラーユーザは、有線デスクトップコンピュータからのみ利用可能であったサービスや情報にアクセスできる。第３世代技術を使用して、ストリーミングビデオファイルや、双方向テレビ番組のようなアプリケーション及びマルチメディアサービスをこれらのモバイル装置に配信することが現在可能である。
【０００３】
ＷＣＤＭＡはまた、ユニバーサルモバイルテレコミュニケーションシステム（ＵＭＴＳ）とも呼ばれており、ＣＤＭＡ２０００と共に、現在の２Ｇモバイルネットワークからサービスとデータ速度の点で進化している。ＩＴＵ（国際電気通信連合）により認められたＵＭＴＳとＣＤＭＡ２０００の第３世代のモバイル技術は、例えば、改善されたマルチメディア（音声、データ、ビデオ、及び遠隔制御）、全ての一般モード（セルラー電話、電子メイル、ペイジング、ファックス、ビデオ会議、及びウエブブラウジング）の利便性、広帯域幅で高速（２Mbps以上）なルーティング柔軟性（リピータ、衛星、ＬＡＮ）、約２ＧＨｚ周波数での動作、ヨーロッパ、日本、及び北アメリカを通じたローミング機能のような特徴及び機能を含むことを期待されている。
【０００４】
今日のモバイル利用者は、すでに「無音声」及びその他の新しいサービスに対する要望を提起している。２４０億より多いテキストメッセージが毎月送信され、今や利用者は、静止画や音の要素を付加するテキストメッセージングが進化したマルチメディアメッセージングサービス（ＭＭＳ）を選択している。ＣＤＭＡ２０００及びＵＭＴＳは、モバイルマルチメディアの将来に向けてこれらの第１ステップを踏み出し、オペレータは、新たなサービスを利用者に提供できるようになるであろう。
【０００５】
これらのロバストなモバイルネットワークと、洗練されたハンドヘルド装置の利用は、メディアコンテンツへの利用者需要の増加と相まって、モバイル装置においてマルチメディアプログラミングとパッケージコンテンツとを申し込む改良された方法に対する必要性を生み出した。
【発明の開示】
【０００６】
本特許出願は、譲受人に譲渡され、ここに参照によって明確に組み込まれている２００４年５月４日に出願され、"Method and Means to Support Default Services, Service and Package Ranking, and Replacement Services with Multiple Service Retailers"と題された米国仮出願６０／５６８，３２５号と、２００４年１１月４日に出願され、"Method and Means to Support Default Services, Service and Package Ranking, and Replacement Services with Multiple Service Retailers"と題された米国仮出願６０／６２５，６３７号との優先権を主張する。
【０００７】
メディア配信方法及び装置は、メディアサービス及びプログラムパッケージをランク付けするために開示される。メディアサービスのランキングによって、ランク付けされたメディアサービスに従って、モバイル装置上にビデオ及びオーディオプログラミングサービスを表示することが可能となる。例えば、複数のサービスを含むプログラムパッケージは、特定の順番でランク付けされたサービスを持ち、そのサービスのうちの１つは、そのプログラムパッケージのためのデフォルトサービスとして機能することができる。ユーザがモバイル装置を動作させた時、あるいはメディアサービスにアクセスした時、ユーザには、申し込んだプログラムパッケージのデフォルトサービスが提供されるであろう。このデフォルトサービスは、各プログラムパッケージについて最高位にランク付けられたサービスでありうる。したがって、サービスプロバイダ及びコンテンツプロバイダは、ユーザに最初に表示されるメディアサービスが何であるかと、メディア情報がユーザに表示される順番とを制御することができる。
【発明を実施するための最良の形態】
【０００８】
メディアサービス及びプログラムパッケージをランク付けし、メディア情報のユーザへの改良された表示制御のためのデフォルトのサービス及びパッケージを定義する方法及び装置が説明される。サービス及びパッケージをランク付けすること、及びこのランク付けに基づいてデフォルトサービスを定義することによって、サービスプロバイダ及びコンテンツプロバイダは、ユーザが最初にどの情報を見るか、及びこの情報がどの順でユーザに提供されるかを決定することが可能となる。メディア情報がユーザに提供される順番を制御することに商品価値が存在する。そして、開示される方法は、この商品価値を利用する。一例では、メディアサービス及びパッケージは、無線通信環境において動作するモバイル装置において受信される。
【０００９】
図１は、無線ネットワーク用のモバイル装置の一例を示す。モバイル装置１００は、メモリモジュール１０２と、ディスプレイモジュール１０４と、例えばアルファベットキー構成あるいはジョイスティックのような入力モジュール１０６と、少なくとも１つのマイクロプロセッサ１０８と、アンテナモジュール１１０とを含んでいる。入力モジュール１０６によって、申込者は、モバイル装置１００と対話することができる。アンテナモジュール１１０は、無線情報を送受信できる。この例では、ユーザがモバイル装置１００を起動するか、あるいはモバイル装置１００のスクリーンメニューからメディアコンテンスを見るオプションを選択すると、例えばメモリモジュール１０２にロードされたソフトウェアアプリケーションのような命令のセットを用いるマイクロプロセッサモジュール１０８が、このモバイル装置に配信された割当済のランキングに従ってディスプレイモジュール１０４を用いてメディア情報を表示する。このランキング情報は、モバイル装置に配信された命令のセットに基づいて、モバイル装置において生成されることも可能である。本方法は、例えば、ＰＤＡ、携帯電話、又はパーソナルメディアプレーヤのようなモバイル装置上で実現することができる。モバイル装置１００に関して本方法を実現すること関する更なる詳細を以下に示す。
【００１０】
メディア情報は、メディアサービス、メディアパッケージ、番組案内、及びメディアコンテンツのようなものを含むことが理解されるべきである。メディアコンテンツは、メディアプログラム又は広告のようなメディア表示を称する。メディアサービスは、メディア表示のシーケンスを称する。メディアサービスは、テレビ、ケーブルネットワーク、１セットの広告、ペイパービュー方式のイベント等のようなものを含む。例えば、プログラム又はメディアパッケージのようなパッケージは、１つ又は複数のメディアサービスの集合を称する。デフォルトサービスは、ユーザがサービスの明確な選択をしていない時、ユーザのモバイル装置に表示されるサービスを称する。デフォルトサービスは、例えば、テレビネットワークによって提供されるか、あるいは記憶されたビデオ情報であり、ディスプレイモジュール１０４を用いて自動的に表示される。デフォルトサービスはまた、サービスプロバイダによって決定されるランキング情報に従って体系化される番組案内である。あるいはプレビューウィンドウで自動的に表示されるサービスでありうる。デフォルトサービスは、ユーザが見ることができるか、あるいは見ることができないサービスである。ユーザが見ることができないサービスは、ディスプレイモジュール１０４で表示されないが、モバイル装置１００への広告配信用に利用することができる。
【００１１】
図２は、ランク付けスキームを提供するために使用されるメディア配信システムの一例を示すブロック図である。このメディア配信システム２００は、メディアコアネットワーク２０２、少なくとも１つのコンテンツプロバイダ２０６、モバイル装置２０８、サービスプロバイダ２１０、及び配信システム２１２を含む。メディアコアネットワーク２０２は、サーバコンポーネント２０４を含み、種々のコンテンツプロバイダ２０６からのメディアコンテンツ集合や、メディアのスケジューリングや、ライセシングを備えたメディアコンテンツのデジタル権利の管理や、申込や、メディア配信を纏めて提供する。配信システム２１２は、例えばコンテンツプロバイダ２０６、モバイル装置２０８、及びサービスプロバイダ（リテイルプロバイダ）２１０への転送を管理する。配信システム２１２はまた、ソフトウェアアプリケーションをモバイル装置２０８に配信すると共に、請求書作成や他の会計要件を管理する。メディアコアネットワーク２０２は、配信スケジュールに基づいて、メディア情報を、関連するプログラミング情報と共にモバイル装置２０８に送る。
【００１２】
この例では、メディア配信システム２００は無線通信システムである。具体的な例によれば、この実施例は、ＣＤＭＡ通信システムに関連して議論される。ＣＤＭＡ通信システムの原理、特に通信チャネルを介した送信のためのスペクトル拡散信号の生成の一般原理は、当該技術における通常の熟練者に周知である。記載されているか、あるいは言及されている何れの無線通信システムも、デジタル信号技術と同様に、その信号を搬送するネットワークの両方を称していることと理解されるべきである。ＣＤＭＡの代わりに、この無線ネットワークは、周波数分割多元接続（ＦＤＭＡ）システム、例えばＧＳＭ、ＧＳＭ／ＧＰＲＳ（汎用パケット無線サービス：General Packet Radio Service)、ＥＤＧＥ（Enhanced Data GSM Environment）、或いはＴＥＴＲＡ（Terrestrial Trunked Radio,サービス産業用のモバイル電話技術）のような時分割多元接続（ＴＤＭＡ）システム、ＷＣＤＭＡ或いはその他の高速データレート（１×ＥＶ−ＤＯ或いは１×ＥＶ−ＤＯゴールドマルチキャスト）システム、或いは一般的な任意の無線通信システムでありうる。
【００１３】
サービスプロバイダ２１０は、メディア配信システム２００を操作し、コンテンツプロバイダ２０６によって提供されているサービスの配信を制御する。メディアコアネットワーク２０２は、プログラムパッケージの形態でグループ化されたサービスを、申込者のモバイル装置２０８へ提供する。プログラムパッケージ及びサービスと、それらのランキングとを作成し定義するために、メディアコアネットワーク２０２は、サービスプロバイダ２１０にインタフェースを与える。コンテンツプロバイダ２０６によって提供されるサービスは、メディアコアネットワーク２０２のサーバコンポーネント２０４を用いてサービスプロバイダ２１０によって、ランク付けされたプログラムパッケージ、及び／又はランク付けされたメディアサービスに構成される。このランク付けされた情報は、配信システム２１２によってモバイル装置２０８に配信される。パッケージ及びサービスをランク付けすることによって、サービスプロバイダ２１０は、ユーザに表示される最初のサービスと、ユーザに利用可能になるサービス及びサービスパッケージの順番とを制御することができる。コンテンツプロバイダ２０６は、ユーザにより迅速にアクセス可能になるように、割増料金を払って、より高いランキングを得るだろう。サービスプロバイダは、具体的なサービスあるいはパッケージに対する申込を促進するためにランキングを使用することができる。
【００１４】
各サービス及び各プログラムパッケージは、ランクを構成する値を与えられる。一例では、プログラムパッケージのランクは、グループ化されたサービスランキング値の合計によって決定される。別の例では、このプログラムパッケージのランクは、認められた消費者価値のような他の要因を考慮することにより、あるいはワンタイムスポーツイベントのような新たなサービスを促進するために調節することができる。ＣＤＭＡメディア配信システム２００に関して本方法を実行することに関する更なる詳細を以下に説明する。
【００１５】
図３Ａ及び図３Ｂは、デフォルトサービスと、サービス及びパッケージのランキングとの関係の例を図示する。テーブル３００は、ランク付けされたパッケージ３１０の列、及びランク付けされたサービス３１２の列を含む。列３１０のパッケージは、最高位のパッケージランキングを持つプレミアムパッケージ３１４と、最低位のパッケージランキングを持つ自動申込パッケージ３１６とを持つ順序でランク付けされている。簡略化の目的で、この例では、各パッケージはそれぞれ２つのサービスを含んで示される。各パッケージ内のサービスもランク付けされる。これによって、最高位にランク付けされたプレミアムパッケージ３１４に属するサービスＡは、同じパッケージに属するサービスＢよりも上位にランク付けされる。また、サービスＡは、テーブル３００において最高位にランク付けされたサービスである。
【００１６】
図３Ａの例は、ユーザがサービスパッケージに申し込む前のデフォルトサービス関係を示す。ユーザがサービスパッケージを申し込む前、ユーザは、自動申込パッケージ３１６に自動的に申し込まれる。自動申込パッケージ３１６は、申込を行うためのユーザインタラクションを何ら必要とせず、例えばサービスメディアプレビュー、ペイパービュオプション、又は消費者製品広告のようなメディアコンテンツを備えた限定されたサービスのみを含む。テーブル３００に示すように、自動申込パッケージ３１６のサービスＲは、同じパッケージのサービスＳよりも上位にランク付けされる。この例では、申込状態においてユーザに利用可能な最高位のサービスが、デフォルトサービス３１８として定義される。ユーザが、自動申込パッケージ３１６へのアクセスのみを持っていると、サービスＲがデフォルトサービスであり、ユーザがモバイル装置を起動するか、あるいはオンスクリーンメニューからメディアコンテンツを見ることを選択すると、ユーザに表示される。上述したように、サービスＲ及びサービスＳが見えないサービスであれば、サービスＲはユーザに表示されないが、広告配信のようなもののためにモバイル装置によって利用されるだろう。
【００１７】
図３Ｂの例では、ユーザは拡張基本パッケージ３２０へ申し込まれる。拡張基本パッケージ３２０は、パッケージ３２０内で最高位にランク付けされたサービスであるサービスＣと共に、サービスＣおよびサービスＤを含む。この例では、拡張基本パッケージ３２０へのユーザ申込によって、サービスＣ、Ｄ、Ｐ、Ｑ、Ｒ及びＳへのユーザアクセスが可能となる。デフォルトサービスが、ユーザがアクセスを持つ最高位にランク付けされたサービスとして定義される場合、サービスＣがデフォルトサービス３２２である。したがって、拡張基本パッケージ３２０に申し込んだユーザが、モバイル装置を起動するか、あるいはモバイル装置のオンスクリーンメニューからメディアコンテンツを見ることを選択する場合にはサービスＣが自動的に表示される。
【００１８】
メディア番組案内が、モバイル装置において示される場合、デフォルトサービスからのメディアコンテンツは、自動的にプレビューモードで表示することができる。利用可能なサービスもまた、表示されるメディア番組案内において、サービスのランク付け順に従って並べられる。従って、番組案内にリストされた利用可能なサービスをユーザがスクロールすると、ユーザは、より低位にランクされたサービスより前に、より高位にランクされたサービスを見て、選択することができる。一例では、パッケージ内のサービスランキングの順序は、最も高価なサービスに最高位のランキングを割り当て、それをリストのトップに配置し、最も安いサービスをリストの最後に配置する。別の例では、デフォルト順序は、例えば新たなニュースステーションあるいは新たなスポーツチャネルのような具体的なメディアをプロモートする新たなコンテンツプロバイダあるいは既存のコンテンツプロバイダからのサービスのように、具体的に限定された時にプロモートされているサービスを考慮に入れることができる。
【００１９】
デフォルトサービスが除外（キャンセル、又は一時的なブロック）される場合、申込者又はサービスプロバイダの何れかによって、ランキング順における次のサービスがデフォルトサービスになる。例えば、サッカーの試合ではローカルに通信が途絶されるが、モバイル装置が、スポーツ試合のような通信途絶領域に物理的に移動したのであれば、サービスは、申込者のモバイル装置における利用が不可になるかもしれない。したがって、図３Ｂの例では、サービスＣがキャンセル又はブロックされた場合、次にランクの高いサービスＤがデフォルトサービス３２２になる。しかしながら、自動申込パッケージのようないくつかのプログラムパッケージは、除外不可（キャンセル不可）となることができ、これによって、広告のようなコンテンツを、例えばプレビューモード又はフルスクリーンモードでモバイル装置上から常に表示することが可能となる。
【００２０】
このランク付けスキームはまた、申込処理を改善するために使用することもできる。申込に利用可能なプログラムパッケージもまた、ランク付けされた順に従ってユーザに提供することができる。したがって、サービスプロバイダは、プログラムパッケージのランキングの決定によって、どのプログラムパッケージがより顕著にユーザに提供されるかを制御することができる。より高位にランク付けされたパッケージは、ユーザによってより容易にアクセスされうる。したがって、サービスプロバイダは、コンテンツプロバイダに対して、彼らのサービスをより高位にランク付けされたプログラムパッケージに指定するために、割増料金を請求することができる。
【００２１】
図４は、メディア情報を提供するために、サービスランキング及びデフォルトサービスを使用する方法の一例を図示するフローチャートである。ステップ４０２では、サービスプロバイダは、図２のサーバコンポーネント２０４のようなランク付け手段を使用して、メディアサービス及びプログラムパッケージをランク付けする。上述したように、メディアサービスの商品価値を最大にするために、サービスプロバイダによって多くのランク付けスキームが使用される。ステップ４０４では、図２のサーバコンポーネント２０４のようなランキング情報を生成する手段が、ランキング情報を生成する。このランキング情報は、メディアサービス、プログラムパッケージ、あるいはその両方のランキングを含むことができる。
【００２２】
ステップ４０６では、図２に示すサーバコンポーネント２０４及び配信システム２１２のような変調手段及び送信手段が、ランキング情報をメディア情報と共に変調し送信する。このメディア情報及びランキング情報は変調され、ＣＤＭＡネットワークのような無線スキームに従ってモバイル装置に送信される。例えばＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡのような他の無線スキームを使用することも可能である。この送信される情報は、プログラムパッケージランキング情報を参照する申込情報を含むことができる。この申込情報は、サービスプロバイダによって決定される順に従って、申込可能なパッケージを表示するために使用することができる。サービスプロバイダは更に、デフォルトサービスを決定する命令をモバイル装置に送ることができる。
【００２３】
ステップ４０８では、図１に示すアンテナモジュール１１０のような受信手段が、モバイル装置においてメディア情報およびランキング情報を受信する。ステップ４１０では、メディア情報及びランキング情報が、図１に示すマイクロプロセッサモジュール１０８及びメモリモジュール１０２とともに、アンテナモジュール１１０のような復調手段によって、サービスプロバイダによって使用されるものと同じ無線スキームに従ってそれぞれ復調される。ステップ４１２では、モバイル装置が、ランキング情報を用いて、メディアサービス又はパッケージを、表示するために、ランク付けされた順に従って並べる。
【００２４】
モバイル装置はまた、ランキング情報に基づいて、メディア情報からデフォルトサービスを決定するための命令を受信又はロードしうる。ステップ４１４では、モバイル装置は、デフォルトサービスとしてモバイル装置に配信された複数のメディアサービスからメディアサービスを割り当てるために、図１のマイクロプロセッサモジュール１０８のような割当手段を使用する。上述したように、デフォルトサービスは、モバイル装置の現在の申込状態に基づいて、ユーザに利用可能な最高位のサービスでありうる。デフォルトサービスは、特別なプロモーションを実行するサービスプロバイダの努力のような他の様々な要因に基づくことができる。デフォルトサービスが除外あるいは抑制されるのであれば、モバイル装置は、デフォルトサービスを決定する命令に従って、デフォルトサービスを、除外不可で抑制不可のサービスに再割り当てする。この再割り当てされたデフォルトサービスは、次に高位にランク付けされた利用可能なサービスでありうる。
【００２５】
モバイル装置が起動される場合、又はモバイル装置が、メディアコンテンツを表示する命令を図１の入力モジュール１０６から受信する場合、モバイル装置は、ランク付けされた順に従ってメディア情報を表示する。ステップ４１６では、図１のディスプレイモジュール１０４のような表示手段が、デフォルトサービスを表示するか、あるいはランク付けされた順にしたがってメディアサービスを表示する。ディスプレイモジュール１０４は、サービス／プログラムがランク付け順に従ってリストされるメディア番組案内を生成し表示することができる。デフォルトサービスは、番組案内にリストされる最初のサービス／プログラムであり、番組案内のプレビューウィンドウに表示することができる。あるいは、ディスプレイモジュール１０４は、メディアコンテンツを見るという要求に応じて、番組案内を提供せずに直接的にフルスクリーン内にデフォルトサービスを表示することができる。番組案内は、現在の申込状態に基づいて、ランク付けされた全てのサービスか、又はモバイル装置に利用可能なサービスのみを含むことができる。モバイル装置はまた、サービスプロバイダの選好に従ってランク付けされた順でユーザに対して申込オプションを提供することによって、申込機能を高めるためにランキング情報を使用することもできる。
【００２６】
パッケージにグループ化されるサービスを提供するために使用されるコンテンツプロバイダネットワークの数に制限はないことが理解されるべきである。ランクは、一定の方法を用いて決定されないかもしれない。すなわち、異なるコンテンツプロバイダからのサービスに対するランクは、異なるファクタ及び／又はアルゴリズムを用いて決定されるかもしれない。いくつかのサービス、あるいは全てのサービスに対するランクの決定のために、重み付けられた要因を用いることができる。重み付けられた要因が用いられる場合、これらの要因は、サービスプロバイダ単独によって、あるいは各コンテンツプロバイダとの個別の交渉又は提携によって決定することができる。優先位置は、メディア番組案内において表示される最高位かもしれない。
【００２７】
メディアのあらゆるグルーピングが可能であることが理解されるべきである。一例では、個々のプログラムがあるサービスへグループ化され、複数のサービスが階層へグループ化され、プログラムパッケージがサービス及び／又は階層の集合となり、ツリーが集合化されたパッケージのグループとなりうる。モバイル装置は、申込に利用可能なプログラムパッケージのセットを、ランク付けされた順で表示することができる。各プログラムパッケージ内でグループ化されたサービスは、それぞれのプログラムパッケージに沿って表示されるか、あるいはプログラムパッケージが選択されるまで表示されない。グループ化されたサービスは、ランク付け順に表示される。例えばペイパービューのようにプログラムパッケージ内にグループ化されない個々のサービスは、グループ化されたサービスとともに表示される。グループ化されたサービスとともに個々のサービスを表示するための順序もまた、ランク付け処理によって決定することができる。
【００２８】
モバイル装置は、申込情報、すなわち、原機製造会社（ＯＥＭ）によって初めにインストールされたパッケージランキング、サービスランキング、及びデフォルト情報のようなメディアサポートデータを持つことができる。モバイル装置は、後日、無線通信によって申込をモバイル装置に転送することもできる。
【００２９】
当技術分野における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００３０】
これら熟練者であれば、更に、 ここで開示された実施例に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが説明された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、開示した方法の範囲から逸脱したものと解釈されるべきではない。
【００３１】
ここで開示された実施例に関連して記述された種々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを 用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００３２】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。
【００３３】
または、記憶媒体はプロセッサに統合されうる。このプロセッサと記憶媒体は、特定用途向けＩＣ（ＡＳＩＣ）に存在することができる。ＡＳＩＣは、無線モデム又はプロセッサ内に存在しうる。また、記憶媒体は、無線モデム中のディスクリートな部品として存在しうる。
【００３４】
上述した例における記載は、当該技術分野におけるいかなる人であっても、開示された例を活用又は利用できるように提供される。これらの例への様々な変形例もまた、当該技術分野における熟練者に対しては明らかであって、ここで定義された原理は、開示された方法の主旨または範囲を逸脱せずに他の実施例にも適用されうる。
【００３５】
開示された方法は、コンテンツプロバイダが生成したいと思うコンテンツの任意の形式と共に使用することができることに留意されたい。プログラムパッケージ及び／又はサービスを順に従って表示すること、デフォルトサービスを割り当てること、又はプログラムパッケージやサービスを見えるように、あるいは見えないように、除外可能なようにあるいは除外不可能なように与えることは、コンテンツプロバイダ及び／又はサービスプロバイダの決定と一致する任意の方法で達成されうる。このように、開示された方法は、ここで示された例に限定されるのではなく、ここで記載された原理及び新規の特徴に一致した最も広い範囲に相当するものを意図している。
【００３６】
開示された例の局面は、限定される訳ではないが、以下を含む。
【００３７】
無線通信用のメディア情報を提供する方法であって、前記方法は、メディア情報を受信することと、前記メディア情報に関連したランキング情報を受信することと、前記受信した情報を無線スキームに従って復調することと、前記メディア情報を前記ランキング情報に従って表示することとを含む。
【００３８】
無線通信用の電子機器であって、メディア情報を受信し、前記メディア情報に関連したランキング情報を受信し、前記受信した情報を無線スキームに従って復調し、前記メディア情報を前記ランキング情報に従って表示するように構成される。
【００３９】
無線通信用のメディア情報を提供する装置であって、前記装置は、メディア情報を受信する手段と、前記メディア情報に関連したランキング情報を受信する手段と、前記受信した情報を無線スキームに従って復調する手段と、前記メディア情報を前記ランキング情報に従って表示する手段とを含む。
【００４０】
無線モバイル装置に対して以下の方法を実行させる手段を組み込んだコンピュータ読取可能媒体であって、前記方法は、メディア情報を受信することと、前記メディア情報に関連したランキング情報を受信することと、前記受信した情報を無線スキームに従って復調することと、前記受信したメディア情報からのメディアサービスを、前記ランキング情報に従ってランク付けされた順で並べることと、前記受信したメディア情報からのメディアサービスを、前記ランキング情報に基づいてデフォルトサービスとして割り当てることと、前記メディア情報を前記ランキング情報に従って表示することとを含む。
【００４１】
無線通信用のメディアコンテンツを配信する方法であって、前記方法は、メディアサービスをランク付けることと、メディアサービスランキングに基づいてランキング情報を生成することと、無線スキームに従って前記ランキング情報及びメディア情報を変調することと、前記変調された情報をモバイル装置に送信することとを含む。
【００４２】
無線通信用の電子機器であって、メディアサービスをランク付けし、メディアサービスランキングに基づいてランキング情報を生成し、無線スキームに従って前記ランキング情報及びメディア情報を変調し、前記変調された情報をモバイル装置に送信するように構成される。
【００４３】
無線通信用のメディア情報を配信する装置であって、メディアサービスをランク付けする手段と、メディアサービスランキングに基づいてランキング情報を生成する手段と、無線スキームに従って前記ランキング情報及びメディア情報を変調する手段と、前記変調された情報をモバイル装置に送信する手段とを含む。
【００４４】
無線モバイル装置に対して以下の方法を実行させる手段を組み込んだコンピュータ読取可能媒体であって、前記方法は、メディアサービスをランク付けることと、メディアサービスランキングに基づいてランキング情報を生成することと、メディアサービスをプログラムパッケージへグループ化することと、前記プログラムパッケージをランク付けすることと、プログラムパッケージのランキングを含むランキング情報を生成することと、無線スキームに従って前記ランキング情報及びメディア情報を変調することと、前記変調された情報と、デフォルトサービスを決定するための命令のセットとをモバイル装置に送信することとを含む。
【００４５】
ここで開示された実施例に関連して記述された種々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００４６】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００４７】
開示された実施例の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに、例えばインスタントメッセージングサービス又は任意の一般的な無線データ通信用途のような他の実施例にも適用されうる。このように、本発明は、ここで示された実施例に制限されるものではなく、ここで記載された原理と新規の特徴に一致した最も広い範囲に相当するものを意図している。用語「典型的」は、ここでは、例、インスタンス、又は例示となることを意味することに限定的に用いられる。ここで「典型的」と記載された何れの実施例も、必ずしも他の実施例に対して好適であるとか、有利であるとか解釈される必要は無い。
【図面の簡単な説明】
【００４８】
【図１】図１は、無線ネットワーク用のモバイル装置の一例を示す。
【図２】図２は、改良された申込方法を提供するために使用されるメディア配信システムの一例を示すブロック図である。
【図３Ａ】図３Ａは、デフォルトサービスと、サービス及びパッケージのランキングとの関係の一例を示す。
【図３Ｂ】図３Ｂは、デフォルトサービスと、サービス及びパッケージのランキングとの関係の一例を示す。
【図４】図４は、メディア情報を提供するためにサービスランキング及びデフォルトサービスを使用する方法の一例を示すフローチャートである。
【図１】
2007536819.tif 000003
【図２】
2007536819.tif 000004
【図３Ａ】
2007536819.tif 000005
【図３Ｂ】
2007536819.tif 000006
【図４】
2007536819.tif 000007
【国際調査報告】
2007536819.tif 000008
2007536819.tif 000009
2007536819.tif 000010